(57)【要約】【課題】  訪問者を検知した際に複数の楽曲を使い分けることによってユーザに面白さを感じさせる楽曲再生呼び出し装置を提供する。【解決手段】  楽曲コントローラ１０１は訪問者が屋外の押しボタンを押したことを検知すると、温度／湿度センサー１０８から現在の温度と湿度を得て、この温度と湿度に対応する楽曲の判定をユーザプログラム１０３に要求する。ユーザプログラム１０３は楽曲コントローラ１０１の要求に対し、どの楽曲を再生すべきかを楽曲コントローラ１０１に通知する。楽曲コントローラ１０１はユーザプログラム１０３の通知を元にプレイヤー１０２に楽曲の再生を指示する。プレイヤー１０２は楽曲コントローラ１０１の指示を受け、楽曲データベース１０４から楽曲データを読み出し、音源１０５を経由してスピーカー１１０に楽曲を発音させる。【選択図】  図１
2005285031.tif 000002
【特許請求の範囲】
【請求項１】
呼び出し操作をするための呼び出しスイッチと、
外部環境情報を検知する検知センサーと、
前記検知センサーが検知する情報と、楽曲データとを対応付ける対応テーブルと、
複数の楽曲データを記憶する記憶部と、
前記呼び出しスイッチによる呼び出しがあった時、前記検知センサーの出力に基づいて前記対応テーブルから楽曲データを選択する楽曲データ選択部と、
選択された楽曲データを前記記憶部から読み出して再生する再生手段と、
を具備することを特徴とする楽曲再生呼び出し装置。
【請求項２】
前記検知センサーは温度または湿度の少なくとも一方を検知することを特徴とする請求項１に記載の楽曲再生呼び出し装置。
【請求項３】
前記対応テーブルは時間帯に応じて複数に分割されており、
前記楽曲データ選択部は現在時刻に応じて前記対応テーブルを選択する
ことを特徴とする請求項１または請求項２のいずれかに記載の楽曲再生呼び出し装置。
【請求項４】
楽曲データを含む無線信号を受信する無線通信手段と、
前記無線通信手段が受信した楽曲データを前記記憶部へ書き込む楽曲書き込み手段と、
をさらに具備することを特徴とする請求項１〜請求項３のいずれかに記載の楽曲再生呼び出し装置。
【請求項５】
前記無線通信手段は、携帯電話から楽曲データを受信することを特徴とする請求項４に記載の楽曲再生呼び出し装置。
【請求項６】
楽曲データを格納したメモリーカードと接続するためのインターフェースと、
前記インターフェースを介して前記メモリーカードから楽曲データを読み出し、前記記憶部へ書き込む楽曲追加手段と、
をさらに具備することを特徴とする請求項１〜請求項５のいずれかに記載の楽曲再生呼び出し装置。
【発明の詳細な説明】
【技術分野】
【０００１】
本発明は、訪問者の通知を楽曲によって行う楽曲再生呼び出し装置に関する。
【背景技術】
【０００２】
一般家庭や企業などでは訪問者の通知のためにインターフォンなどを使用する。しかし、通常のインターフォンは１種類の電子音のみを再生するため、訪問者の通知には十分であってもユーザにとっては面白味に欠ける問題点があった。
【０００３】
なお、従来の技術としては特許文献１および特許文献２に記載されるものが知られている。
特許文献１の技術は、例えば一般家庭において家人の帰宅を当該家人の指紋によって認識し、家人ごとに電子音を切り替えて当該家人の帰宅を知らせるものである。特許文献２の技術は、一般家庭などで各家人がリモコンを持ち、このリモコンが送信する電波信号を受信して家屋の施錠を行い、また、家人の帰宅を知らせるために電子音を発音するシステムである。これらの技術は家人の帰宅を通知する、あるいは訪問者の通知を行うことはできるが、家人以外の訪問者に対しては同じ電子音が発音される。このため、これらの技術でも、本発明の解決しようとするインターフォンが単一の電子音しか発音されないために面白味に欠ける問題点は十分には解決されない。
【特許文献１】特開２００１−３６６４８号公報
【特許文献２】特開２００３−２３２１４８号公報
【発明の開示】
【発明が解決しようとする課題】
【０００４】
本発明は上記の事情を考慮してなされたもので、その目的は、訪問者を検知した際に複数の楽曲を使い分けることによってユーザに面白さを感じさせる楽曲再生呼び出し装置を提供することである。
【課題を解決するための手段】
【０００５】
この発明は前述の課題を解決するためになされたもので、請求項１の発明は、呼び出し操作をするための呼び出しスイッチと、外部環境情報を検知する検知センサーと、前記検知センサーが検知する情報と、楽曲データとを対応付ける対応テーブルと、複数の楽曲データを記憶する記憶部と、前記呼び出しスイッチによる呼び出しがあった時、前記検知センサーの出力に基づいて前記対応テーブルから楽曲データを選択する楽曲データ選択部と、選択された楽曲データを前記記憶部から読み出して再生する再生手段と、を具備することを特徴とする楽曲再生呼び出し装置である。
【０００６】
また、請求項２の発明は、請求項１に記載の楽曲再生呼び出し装置であって、前記検知センサーは温度または湿度の少なくとも一方を検知することを特徴とするものである。
【０００７】
また、請求項３の発明は、請求項１または請求項２のいずれかに記載の楽曲再生呼び出し装置であって、前記対応テーブルは時間帯に応じて複数に分割されており、前記楽曲データ選択部は現在時刻に応じて前記対応テーブルを選択することを特徴とするものである。
【０００８】
また、請求項４の発明は、請求項１〜請求項３のいずれかに記載の楽曲再生呼び出し装置であって、楽曲データを含む無線信号を受信する無線通信手段と、前記無線通信手段が受信した楽曲データを前記記憶部へ書き込む楽曲書き込み手段と、をさらに具備することを特徴とするものである。
【０００９】
また、請求項５の発明は、請求項４に記載の楽曲再生呼び出し装置であって、前記無線通信手段は、携帯電話から楽曲データを受信することを特徴とするものである。
【００１０】
また、請求項６の発明は、請求項１〜請求項５のいずれかに記載の楽曲再生呼び出し装置であって、楽曲データを格納したメモリーカードと接続するためのインターフェースと、前記インターフェースを介して前記メモリーカードから楽曲データを読み出し、前記記憶部へ書き込む楽曲追加手段と、をさらに具備することを特徴とするものである。
【発明の効果】
【００１１】
請求項１の発明によれば、外部環境の変化に応じて異なる楽曲を再生するため、ユーザを楽しませることができる効果がある。
また、請求項２の発明によれば、気温または湿度の変化に応じて異なる楽曲を再生するため、ユーザを楽しませることができる効果がある。
また、請求項３の発明によれば、時間帯に応じて異なる楽曲を再生するため、ユーザは訪問者があったときには大まかな時間がわかる効果がある。
【００１２】
また、請求項４の発明によれば、外部から無線信号によって新しい楽曲データを得るため、新しい楽曲データを再生することによってユーザを飽きさせない効果がある。
また、請求項５の発明によれば、携帯電話から新しい楽曲データを得るため、ユーザが多くの選択肢の中から楽曲データを選べる効果がある。
また、請求項６の発明によれば、メモリーカードから新しい楽曲データを得るため、ユーザが手軽に楽曲データの追加ができる効果がある。
【発明を実施するための最良の形態】
【００１３】
以下、図面を参照し、この発明の実施の形態について説明する。図１は本実施の形態における楽曲再生呼び出し装置１００の機能構成を表すブロック図である。この図において、楽曲コントローラ１０１は楽曲再生呼び出し装置１００の制御機能であり、詳細は後述する。楽曲データベース１０４は例えば、ＭＩＤＩ（Ｍｕｓｉｃ  Ｉｎｓｔｒｕｍｅｎｔ  Ｄｉｇｉｔａｌ  Ｉｎｔｅｒｆａｃｅ）規格からなる楽曲データを格納している。プレイヤー１０２は楽曲コントローラ１０１から指示を受け、楽曲データベース１０４から楽曲データを読み出し、この楽曲データを解釈してＭＩＤＩイベントデータを生成し、このＭＩＤＩイベントデータを音源１０５へ出力する。音源１０５はプレイヤー１０２からＭＩＤＩイベントデータを入力し、このＭＩＤＩイベントデータに基づいて楽音信号を生成し、スピーカー１１０へ出力する。
【００１４】
操作シーケンサー１０６は楽曲コントローラ１０１から指示を受け、楽曲再生呼び出し装置１００の操作部のキーを押下した人物が楽曲再生呼び出し装置１００のユーザもしくはユーザの家人などであるか否かを判定するためにキーの押下順序をチェックし、判定結果を楽曲コントローラ１０１へ出力する。指紋認証センサー１０７は楽曲コントローラ１０１から指示を受けて楽曲再生呼び出し装置１００を操作している人物の指紋が、楽曲再生呼び出し装置１００に登録されているものか否かを判定し、判定結果を楽曲コントローラ１０１へ出力する。
【００１５】
温度／湿度センサー１０８は現在の温度を計測する温度センサー、または現在の湿度を計測する湿度センサー、もしくはその両方を計測するセンサーであり、計測結果を楽曲コントローラ１０１へ出力する。その他センサー１０９は符号１０６〜１０８以外のセンサーである。なお、これらのセンサーは全て備えられている必要は無く、どれか一つが備えられていれば良い。
【００１６】
また、本実施の形態における楽曲再生呼び出し装置１００は、図２に表されるハードウェア構成よりなる。この図のように、楽曲再生呼び出し装置１００は図１の符号１０１と、１０２にあたるＣＰＵ２０１と、パソコン等から楽曲データを入力するためのインターフェースであるシリアルＩ／Ｆ（Ｉｎｔｅｒｆａｃｅ）２０２と、図１の符号１０６〜１０９にあたる各種センサーをバスラインＢに接続する各種センサーＩ／Ｏ（Ｉｎｐｕｔ／Ｏｕｔｐｕｔ）２０３と、音源１０５と、スピーカー１１０と、楽曲データベース１０４等を格納するＲＡＭ（Ｒａｎｄｏｍ  Ａｃｃｅｓｓ  Ｍｅｍｏｒｙ）２０４と、ユーザプログラム１０３を格納するＲＯＭ（Ｒｅａｄ  Ｏｎｌｙ  Ｍｅｍｏｒｙ）２０５と、屋外に設置され、訪問者が訪問先に自身の訪問を通知するために押下する押しボタン２０６（呼び出しスイッチ）とを備える。
【００１７】
また、ＲＡＭ２０４には図４に表される対応テーブルが格納されている。この対応テーブルは温度と、天気との組み合わせによって楽曲再生呼び出し装置１００が再生する楽音データを示すものである。また、対応テーブルは時間帯に応じて複数に分割されていて、６：００〜１８：００の間と１８：００〜６：００の間とに対応するデータを含み、即ち、ユーザは楽曲再生呼び出し装置１００が再生する楽曲を６：００〜１８：００の間と、１８：００〜６：００の間とで変えることができる。図４の対応テーブルによれば、例えば、“天気”が“晴”であり、“温度”が“２５℃〜”であり、かつ、時間が“６：００〜１８：００”に該当する場合には、楽曲再生呼び出し装置１００が再生する楽曲は“Ａ”となる。
【００１８】
次に、図３のフローチャートを参照して本実施の形態における処理の流れを説明する。本実施の形態の説明においては、一般家庭での楽曲再生呼び出し装置１００の使用を例とする。以降では、楽曲再生呼び出し装置１００のユーザが、楽曲再生呼び出し装置１００を使用するための準備として、楽曲を選択して対応テーブルに設定する楽曲設定処理と、ユーザの家庭に訪問者があった場合に楽曲再生呼び出し装置１００がユーザを呼び出すために楽曲を再生する処理である楽曲再生処理とを説明する。ここでは図１に示す各センサーのうち、少なくとも温度／湿度センサー１０８を備えているとする。
【００１９】
＜楽曲設定処理＞
楽曲再生呼び出し装置１００のユーザはいま、温度と、天気と、時間とに応じて楽曲再生呼び出し装置１００が再生する楽曲を好みの楽曲に変更しようとしている。ユーザは楽曲再生呼び出し装置１００と、楽曲データを格納しているパソコンとをシリアルＩ／Ｆ２０２を介して接続し、楽曲再生呼び出し装置１００のＲＡＭ２０４への楽曲データの書き込みをパソコンを操作することにより実行する。
【００２０】
楽曲再生呼び出し装置１００は、図２のシリアルＩ／Ｆ２０２を経由してパソコンから楽曲データを受信し、楽曲データベース１０４へ書き込む。
【００２１】
次に、ユーザは気温が２５度以上で、天気が晴れであり、かつ、６：００から１８：００の間については夏をイメージする楽曲として楽曲Ａを選択し、パソコンを操作することにより楽曲再生呼び出し装置１００にこの設定を指示する。パソコンからはシリアルＩ／Ｆ２０２を経由してその指示を示す信号が楽曲再生呼び出し装置１００に入力される。
【００２２】
楽曲再生呼び出し装置１００のＣＰＵ２０１はパソコンからの指示信号を受け、図２のＲＡＭ２０４から図４に示される対応テーブルを読み出し、気温が２５度以上で、天気が晴れであり、かつ、６：００から１８：００の間に該当するケースについて、“Ａ”を設定する。
【００２３】
ユーザは必要に応じて気温や天気、および時間について他のケースに関しても楽曲を選択し、楽曲再生呼び出し装置１００にこの設定を行う。このとき、ユーザは冬をイメージする楽曲として楽曲Ｃを選択し、雨をイメージする楽曲として楽曲Ｄを選択し、雪をイメージする楽曲として楽曲Ｅを選択し、季節や天気と関係のない楽曲として楽曲Ｂを選択する。また、ユーザは昼間の時間帯と、夜中の時間帯とでは異なる楽曲を選択する。ユーザはパソコンを通して対応テーブルへの楽曲の設定を行う。
【００２４】
＜楽曲再生処理＞
図３は楽曲再生処理の流れを表している。いま、ユーザの家庭を訪問者が訪れ、楽曲再生呼び出し装置１００の押しボタン２０６を押下した。楽曲再生呼び出し装置１００の楽曲コントローラ１０１は押しボタン２０６の押下を検知し、温度／湿度センサー１０８に現在の温度および湿度の検出を指示する。温度／湿度センサー１０８は楽曲コントローラ１０１の指示を受け、現在の温度と湿度とを測定して例えば“２８度”と、“４０％”とを検知したとすると、楽曲コントローラ１０１へ“２８度”と、“４０％”とを出力する。楽曲コントローラ１０１は“２８度”と、“４０％”とを温度／湿度センサー１０８から得る（図３のステップＳ０１）。
【００２５】
次に、楽曲コントローラ１０１は、“２８度”と、“４０％”というデータから、所定のルールに基づいて天気は“晴”であると判断し、また、現在の時刻１２：００を取得する。そして、楽曲コントローラ１０１はＲＡＭ２０４から対応テーブルを読み出し、“２８度”と、“晴”と、現在の時刻１２：００とに該当する楽曲が“Ａ”であると判断する。なお、楽曲コントローラ１０１は時計機能を予め持っているものとする。
【００２６】
なお、楽曲コントローラ１０１は温度／湿度センサー１０８から温度、もしくは湿度の一方のみに基づいて天気を判断してもよい。この場合には、温度／湿度センサー１０８は温度、もしくは湿度の一方のみを検知すればよい。
【００２７】
楽曲コントローラ１０１は、プレイヤー１０２へ“Ａ”を出力して楽曲の再生を指示する（図３のステップＳ０２）。プレイヤー１０２は楽曲コントローラ１０１から“Ａ”を入力し、楽曲データベース１０４から“Ａ”に対応する楽曲データを読み出し（図３のステップＳ０３）、楽曲データを解釈し（図３のステップＳ０４）、楽曲データ中の発音のタイミングのなどを表す情報に従ってＭＩＤＩイベントデータを生成し、これを音源１０５へ出力する（図３のステップＳ０５）。音源１０５はプレイヤー１０２からＭＩＤＩイベントデータを入力し、ＭＩＤＩイベントデータに基づいてアナログ発音信号を生成し、スピーカー１１０へ出力して発音させる（図３のステップＳ０６）。
【００２８】
以上、図面を参照して本発明の実施形態について詳述してきたが、具体的な構成はこの実施の形態に限られるものではなく、この発明の要旨を逸脱しない範囲の設計変更等も含まれる。例えば、本実施の形態においてユーザはパソコンをシリアルＩ／Ｆ２０２へ接続して楽曲再生呼び出し装置１００に楽曲データを格納させたが、楽曲再生呼び出し装置１００はシリアルＩ／Ｆ２０２の代わりにＢｌｕｅｔｏｏｔｈ規格に準拠した近距離の無線通信手段を備えても良い。楽曲再生呼び出し装置１００はＢｌｕｅｔｏｏｔｈ規格に対応した近距離無線機能を備える携帯電話から着信メロディの楽曲データを受信し、使用する。同じように、シリアルＩ／Ｆ２０２はカードインターフェースであっても良い（楽曲追加手段）。ユーザは簡単に楽曲データの入れ替えができ、また、楽曲再生呼び出し装置１００に既存の楽曲データを再生させることができるために楽曲の選択の幅が広がり、有効である。
【００２９】
また、本実施の形態における楽曲再生呼び出し装置１００のＲＡＭ２０４が格納する楽曲データはＳＭＦ（Ｓｔａｎｄａｒｄ  ＭＩＤＩ  Ｆｉｌｅ）、あるいはＳＭＡＦ（Ｓｙｎｔｈｅｔｉｃ  ｍｕｓｉｃ  Ｍｏｂｉｌｅ  Ａｐｐｌｉｃａｔｉｏｎ  Ｆｏｒｍａｔ）のデータであっても良い。
【００３０】
また、本実施の形態において、ユーザおよびユーザ宅の家人が楽曲再生呼び出し装置１００の操作部上のボタンを各々に対して予め決められた順番に従って押下し、操作シーケンサー１０６がこれを受けてユーザあるいはユーザ宅の家人であることを認識しても良い。ＲＡＭ２０４中の対応テーブルの“天気“を”家人“で置き換え、また、”温度“を”曜日“で置き換えて家人ごと、および曜日ごとに楽音データを対応させると、例えばユーザの家庭で子供が夜、学習塾から帰宅した場合などに子供が楽曲再生呼び出し装置１００の操作部上のボタンを予め決められた順番で押下すると、楽曲再生呼び出し装置１００は押下された順番と、現在の曜日とに対応した楽曲を再生するため、ユーザは感覚的に学習塾からの子供の帰宅を検知することができるようになり、有効である。さらに、ユーザはユーザの知人のために楽曲再生呼び出し装置１００の操作部上のボタンの押下順序の１つを割り当てても良い。ユーザの知人がユーザ宅を訪問した場合には、ユーザはこれを認識できるため、有効である。
【００３１】
また、本実施の形態において、ユーザおよびユーザ宅の家人が楽曲再生呼び出し装置１００に指紋を登録し、指紋認識センサー１０７がユーザあるいはユーザ宅の家人を認識しても良い。ＲＡＭ２０４中の対応テーブルの“天気“を”家人“で置き換え、また、”温度“を”曜日“で置き換えて家人ごと、および曜日ごとに楽音データを対応させると、例えばユーザの家庭で子供が夜、学習塾から帰宅した場合などにユーザは感覚的にこれを判別することができるようになり、有効である。
また、本実施の形態の説明においては、楽曲再生呼び出し装置１００は温度／湿度センサー１０８から得られる温度や湿度を元に楽曲データを選択したが、センサーの種類はこれに限らず、気圧や風力、可視光線や赤外線など他のセンサーであっても良い。
【００３２】
また、本実施の形態においては、ＲＡＭ２０４中の対応テーブルは６：００から１８：００までの楽曲一覧と、１８：００から６：００までの楽曲一覧とを格納しているが、もっと細かい単位で楽曲一覧を持っていても良い。ユーザは訪問者がユーザ宅を訪れた際に、おおまかな時刻を検知できるため、有効である。
【図面の簡単な説明】
【００３３】
【図１】この発明の実施の形態における楽曲再生呼び出し装置の構成を示すブロック図である。
【図２】この発明の実施の形態における楽曲再生呼び出し装置の構成を表すブロック図である。
【図３】この発明の実施の形態における楽曲再生呼び出し装置の処理の流れを表すフローチャートである。
【図４】この発明の実施の形態における楽曲再生呼び出し装置の使用する対応テーブルを表す図である。
【符号の説明】
【００３４】
１００…楽曲再生呼び出し装置、１０１…楽曲コントローラ、１０２…プレイヤー（再生手段）、１０３…ユーザプログラム（楽曲データ選択部）、１０４…楽曲データベース（記憶部）、１０５…音源、１０６…操作シーケンサー、１０７…指紋認証センサー、１０８…温度／湿度センサー（検知センサー）、１０９…その他センサー、１１０…スピーカー、２０１…ＣＰＵ、２０２…シリアルＩ／Ｆ、２０３…各種センサーＩ／Ｏ、２０４…ＲＡＭ、２０５…ＲＯＭ、２０６…押しボタン、Ｂ…バス
【図１】
2005285031.tif 000003
【図２】
2005285031.tif 000004
【図３】
2005285031.tif 000005
【図４】
2005285031.tif 000006